(57)【特許請求の範囲】
【請求項１】
液体容器に接続される圧送ポンプの作用により、前記液体容器の上部に設けられるノズルから前記液体容器内に収容される薬液を噴霧するポンプ式噴霧装置であって、
前記ノズル内に先端が開口し、前記薬液を吸引する針状部材を有し、
前記ノズルの開口孔の開口縁部が当該開口縁部の周辺部よりも高い位置に形成され、
前記ノズルの頂部の周囲に凹部が形成され、前記凹部の周壁が前記ノズルの前記開口縁部よりも高く形成されていることを特徴とするポンプ式噴霧装置。
【請求項２】
前記ノズルは、前記開口縁部と前記周辺部との間がテーパ面に形成されていることを特徴とする請求項１に記載のポンプ式噴霧装置。
【請求項３】
前記ノズルは、前記開口縁部と前記周辺部との間に段差が形成されていることを特徴とする請求項１に記載のポンプ式噴霧装置。
【発明の詳細な説明】
【技術分野】
【０００１】
本発明は、ポンプ式噴霧装置に関し、より詳細には、空気流によって負圧を発生させて液体容器内の薬液を吸引し、噴霧させるポンプ式噴霧装置に関する。
【背景技術】
【０００２】
従来、薬液に含まれる芳香剤や害虫防除剤などを噴霧させる手段として、下記特許文献１に示すようなポンプ式噴霧装置（ポンプ式害虫防除装置）が知られている。即ち、このポンプ式噴霧装置は、ノズルに形成したすり鉢状の開口部に連通するノズル孔内に、先端に形成した開口から薬液を噴霧させる針状部材を設けるとともに、ポンプを駆動して上記ノズルの所定位置に位置決めされた針状部材の開口から吸引した薬液を噴霧するように構成したものである。
【先行技術文献】
【特許文献】
【０００３】
【特許文献１】特開２００８−１７７２８号公報
【発明の概要】
【発明が解決しようとする課題】
【０００４】
しかしながら、上記したポンプ式噴霧装置にあっては、薬液噴霧を続けていると、上記ノズルの開口部付近に噴霧した薬液が付着し、結晶化して、継続した噴霧に不具合が生じることがあった。
【課題を解決するための手段】
【０００５】
本発明は、前述した課題に鑑みてなされたものであり、その目的は、ノズルの開口部付近に、噴霧した薬液の付着、結晶化を防止できるポンプ式噴霧装置を提供することにある。
【０００６】
本発明の上記目的は、下記の構成により達成される。
（１）液体容器に接続される圧送ポンプの作用により、前記液体容器の上部に設けられるノズルから前記液体容器内に収容される薬液を噴霧するポンプ式噴霧装置であって、
前記ノズル内に先端が開口し、前記薬液を吸引する針状部材を有し、
前記ノズルの開口孔の開口縁部が当該開口縁部の周辺部よりも高い位置に形成され、
前記ノズルの頂部の周囲に凹部が形成され、前記凹部の周壁が前記ノズルの前記開口縁部よりも高く形成されていることを特徴とするポンプ式噴霧装置。
【０００７】
（２）前記ノズルは、前記開口縁部と前記周辺部との間がテーパ面に形成されていることを特徴とする（１）記載のポンプ式噴霧装置。
【０００８】
（３）前記ノズルは、前記開口縁部と前記周辺部との間に段差が形成されていることを特徴とする（１）記載のポンプ式噴霧装置。
【０００９】
上記（１）の構成によれば、前記圧送ポンプを駆動することにより、前記ノズルの開口孔内に位置決めされた前記針状部材の開口から薬液が噴霧される。この際、前記ノズル開口孔の開口縁部が当該開口縁部の周辺部よりも高い位置に形成されているので、霧化した薬液が開口縁部に滞留せずに周辺部に流れ、開口縁部における薬液の付着、結晶化を防止できる。
【００１０】
上記（２）の構成によれば、周辺部よりも高い位置に形成された前記開口縁部と周辺部との間がテーパ面に形成されているので、薬液噴霧時に霧化した薬液が開口縁部に滞留せずにテーパ面から周辺部に流れ、開口縁部における薬液の付着、結晶化を防止できる。
【００１１】
上記（３）の構成によれば、周辺部よりも高い位置に形成された前記開口縁部と周辺部との間に段差が形成されているので、薬液噴霧時に霧化した薬液が開口縁部に滞留せずに周辺部に流れ、開口縁部における薬液の付着、結晶化を防止できる。
【発明の効果】
【００１２】
本発明のポンプ式噴霧装置によれば、液体容器に接続される圧送ポンプの作用により、液体容器の上部に設けられるノズルから液体容器内に収容される薬液を噴霧する際、前記ノズル開口孔の開口縁部が当該開口縁部の周辺部よりも高い位置に形成されていることにより、霧化した薬液が開口縁部に滞留せずに周辺部に流れ、開口縁部における薬液の付着、結晶化を防止できる。これにより、前記開口孔の詰まりを防止できる。
【００１３】
本発明は、結晶状の成分を含んでいる薬液を用いる場合であっても、前述の通り開口孔の詰まりを防止することができるので、結晶化し易い有効成分を用いる場合に有効である。
【００１４】
また、前記ノズルの開口縁部と周辺部との間がテーパ面、或いは段差状に形成されているので、噴霧時において薬液の一部が前記開口孔から前記周辺部に円滑に流れ、前記開口孔における前記薬液の付着、結晶化、前記開口孔の詰まりを防止できる。
【図面の簡単な説明】
【００１５】
【図１】本発明に係るポンプ式噴霧装置の一実施形態を説明するための一部切欠正面図である。
【図２】ノズルに形成したノズル孔の周辺形状を示す図１のＡ部拡大図である。（第１実施例形態）
【図３】ノズルに形成したノズル孔の周辺形状を示す図１のＡ部拡大図である。（第２実施例形態）
【図４】ノズルに形成したノズル孔の周辺形状を示す図１のＡ部拡大図に相当する従来例（比較例）の図である。
【図５】実施例１で用いたノズルの各部の寸法を表す図である。
【図６】実施例２で用いたノズルの各部の寸法を表す図である。
【図７】比較例で用いたノズルの各部の寸法を表す図である。
【図８】粒度分布測定装置の構成図である。
【図９】風量測定装置の構成図である。
【図１０】ノズルの変形例の断面図である。
【図１１】ノズルの他の変形例の断面図である。
【図１２】ノズルの更に他の変形例の断面図である。
【発明を実施するための形態】
【００１６】
以下、本発明に係るポンプ式噴霧装置の実施形態について、図面を参照して詳細に説明する。
【００１７】
［第１実施形態］
図１に示すように、本実施形態のポンプ式噴霧装置１０は、薬液Ｍを収容する液体容器１１と、薬液Ｍを噴霧する噴霧ユニット２０と、噴霧ユニット２０に圧縮空気を供給する圧送ポンプであるエアポンプ１２と、を備える。
【００１８】
液体容器１１は、害虫防除成分等を含む薬液Ｍに対して耐性を有する材料、例えば、合成樹脂等を射出成型して形成される容器であり、薬液Ｍを収容する容器本体１３と、蓋体１４と、を備える。蓋体１４の上面には、後述するニードルホルダ２１を取り付けるための取付孔１４ａと、液体容器１１内の圧力を常圧(外気圧)に維持する空気穴１４ｂと、が形成される。空気穴１４ｂは、液体容器１１内で発生した圧力を外部に逃がす安全機構としても機能する。蓋体１４は、ねじ等によって容器本体１３に着脱自在となっている。
【００１９】
薬液Ｍの有効成分としては、各種害虫防除成分、芳香成分、殺菌成分、消臭成分などが挙げられ、害虫防除成分としては、例えば、１−メチル−２−ニトロ−３−［（３−テトラヒドロフリル）メチル］グアニジン、Ｎ−［クロロ−３−［ピリジルメチル］−Ｎ−エチル−Ｎ−メチル−２−ニトロビニリデンジアミン、３−［（２−クロロ−５−チアゾリル）メチル］−５−メチル−ニトロイミノテトラヒドロ−１，３，５−オキサジアジン、ピレトリン、ｄ−アレスリン、フタルスリン、フラメトリン、プラレトリン、テラレスリン、レスメトリン、ペルメトリン、フェノトリン、サイペルメトリン、シフェノトリン、トランスフルトリン、フェンフルスリン、メトフルトリン、プロフルトリン、エンペントリン、エトフェンプロックス、ビフェントリン、ピリミホスメチル、フェニトロチオン、ピリダフェンチオン、プロポクスル、カルバリル、メトキサジアゾン、フィプロニル、クロルフェナビル、アミドフルメト、メトプレン、ハイドロプレン、ピリプロキシフェン、ジフルベンズロン、テフルベンズロン、ディートなどを用いることができる。殺菌剤、除菌剤としては、例えば、塩化セチルピリジニウム、チアベンダゾール、イソプロピルメチルフェノール等が、消臭剤としては、例えば、シクロデキストリンなどを用いることができる。
【００２０】
エアポンプ１２は、不図示の電源部から供給される電力により回転するモータ部１５と、モータ部１５により回転駆動され、吸引口１６ａから空気を吸い込み、それを圧縮して吐出口１６ｂから圧縮空気を吐出する圧縮空気発生部１６と、から構成される。そして、本実施形態では、エアポンプ１２の吐出口１６ｂは、接続チューブ１７により噴霧ユニット２０のノズルホルダ２２に接続される。また、エアポンプ１２の圧力（風量）としては、４Ｌ／分以上が好ましく、４Ｌ／分〜１６Ｌ／分がより好ましい。エアポンプ１２の圧力（風量）が４Ｌ／分未満であると薬液Ｍの拡散性が不充分となる。また、エアポンプ１２の圧力（風量）が１６Ｌ／分を超えると省力化が難しくなり、使用電力が大きくなる。なお、不図示の電源部としては、商用電源や電池などの任意の電源を使用することができる。
【００２１】
噴霧ユニット２０は、ニードルホルダ２１と、ノズルホルダ２２と、ノズル２３と、を有する。ニードルホルダ２１は、液体容器１１に収容される薬液Ｍを吸上げるための略円筒形状部材であり、その軸心部には、大径孔２１ａ及び小径孔２１ｂが軸方向に沿って形成される。また、小径孔２１ｂには、針状部材であるニードル管（針状部材）２５が圧入や接着等により気密に固定される。
【００２２】
また、ニードルホルダ２１の大径孔２１ａ側の端部には、樹脂製の吸液チューブ２６が気密に外嵌されている。この吸液チューブ２６は、ニードルホルダ２１が蓋体１４に固定された状態において、その先端が容器本体１３の底面近傍に位置する長さに調節される。
【００２３】
ニードル管２５は、ステンレス鋼や樹脂などで形成されたパイプ状部材であり、例えば、その外径はφ０．５ｍｍ〜φ１．２ｍｍ、より好ましくはφ０．６ｍｍ〜０．８ｍｍ、その内径はφ０．２ｍｍ〜０．６ｍｍ、より好ましくはφ０．３ｍｍ〜０．５ｍｍとするのがよい。
【００２４】
ノズルホルダ２２は、略円筒形状部材であり、その上端面の軸心部には、ノズル２３を取り付けるためのノズル用凸部２２ａが形成される。また、ノズルホルダ２２の側面には、噴霧ユニット２０とエアポンプ１２とを接続させる接続チューブ１７を接続するための接続パイプ２２ｂが形成される。また、ノズルホルダ２２の軸心部には、ニードルホルダ２１を螺着するためのノズルホルダ取付孔２２ｃと、エアポンプ１２から空気が供給される空気供給室２２ｄと、空気供給室２２ｄからノズル２３内に空気を供給する空気供給孔２２ｅと、が形成される。
【００２５】
ノズル２３は、真鍮等の金属又は合成樹脂等を射出成型することにより形成される円筒蓋状体であり、図２に示すように、ノズルホルダ２２のノズル用凸部２２ａに螺合又は嵌合される。また、ノズル２３の天面の軸心部には、ニードル管２５を挿通するためのノズル孔（開口孔）２４が形成される。また、ノズル孔２４は、上端開口２４ａ及び下端開口２４ｂを有する。また、ノズル孔２４の内径Ｄは、ニードル管２５の外径より０．１ｍｍ〜０．８ｍｍ大きい方が好ましく、約０．４ｍｍ程度大きくするのが好ましい。具体的には、ニードル管２５の外径が０．６ｍｍの場合、ノズル孔２４の内径Ｄは、０．７ｍｍ〜１．４ｍｍが好ましく、約１．０ｍｍ程度とするのが好ましい。また、ノズル孔２４の長さＬは、０．５ｍｍ〜２．５ｍｍ程度とするのがよい。
【００２６】
ところで、ノズル２３の頂部は凹部３１に形成されているが、その中心に形成されたノズル孔２４の開口縁部３２は、その周辺部３３よりも高い位置となるように形成されている。そして、開口縁部３２と周辺部３３との間は、テーパ面３４に形成されている。
【００２７】
因みに、上記凹部３１の深さは例えば０．５〜１ｍｍ程度、開口縁部３２と周辺部３３との間の高低差は例えば０．５〜２ｍｍ程度とするのがよい。また、テーパ面３４の角度θ２は１０度〜８０度が好ましい。
【００２８】
そして、噴霧ユニット２０は、まず、ニードルホルダ２１の小径孔２１ｂにニードル管２５を固定させ、このニードルホルダ２１をノズルホルダ２２のノズルホルダ取付孔２２ｃに螺着させる。次いで、ノズルホルダ２２に螺着したニードルホルダ２１を蓋体１４の取付孔１４ａに挿通させ、ノズルホルダ２２との間に蓋体１４を挟持するように、ニードルホルダ２１にストッパ１８を螺着させる。これにより、ノズルホルダ２２、ニードルホルダ２１、ニードル管２５、蓋体１４、及びストッパ１８が一体的に組み立てられる。そして、ノズルホルダ２２のノズル用凸部２２ａにノズル２３を螺合又は嵌合させる。
【００２９】
このように構成された噴霧ユニット２０では、ニードル管２５の先端部の開口２５ａは、図２に示すように、ノズル孔２４の上端開口２４ａと下端開口２４ｂとの間に配置される。そして、ニードル管２５の開口２５ａは、好ましくはノズル孔２４の上端開口２４ａと下端開口２４ｂとの間の中央付近に配置される。
【００３０】
次に、本実施形態のポンプ式噴霧装置１０の作用について説明する。
ポンプ式噴霧装置１０は、図１に示すように、薬液Ｍが収容された容器本体１１に噴霧ユニット２０と一体化された蓋体１４を螺着させ、噴霧ユニット２０とエアポンプ１２とを接続チューブ１７で接続させて、モータ部１５に電力を供給してエアポンプ１２を駆動させることによって、圧縮空気発生部１６の吐出口１６ｂから圧縮空気を吐出させる。
【００３１】
そして、エアポンプ１２から吐出された圧縮空気は、接続チューブ１７及び接続パイプ２２ｂを介してノズルホルダ２２の空気供給室２２ｄに供給され、 ノズルホルダ２２の空気供給孔２２ｅを通って上方に圧送されて、ノズル２３のノズル孔２４とニードル管２５の外周面との僅かな隙間から勢いよく上方に噴出される。
【００３２】
このとき、ノズル孔２４の上端開口２４ａとニードル管２５の開口２５ａとの間に負圧が発生するため、液体容器１１内の薬液Ｍが、吸液チューブ２６、ニードルホルダ２１の大径孔２１ａ、及びニードル管２５を介して吸い上げられ、ニードル管２５の開口２５ａから吐出されて、上記の勢いよく噴出される圧縮空気によって霧化して噴霧される。
【００３３】
ここで、ノズル２３から噴霧される薬液Ｍの噴霧粒径は、１０μｍ〜６０μｍ程度に調整するのが好ましい。また、ポンプ式噴霧装置１０の薬液Ｍの噴霧量は、約３０ｍｌ／２０分〜約３０ｍｌ／３分（約０．１５ｍｌ／分〜約１０ｍｌ／分）とするのがよい。さらに、モータへの負荷軽減のため、ＯＮ＝１分、ＯＦＦ＝１分のサイクル等としてもよい。なお、薬液Ｍをより効率的に拡散するため、シロッコファンやプロペラファン等の送風装置を補助的に噴霧ユニット２０の近傍に配置してもよい。
【００３４】
本実施形態のポンプ式噴霧装置１０によれば、液体容器１１に接続される圧送ポンプ１２の作用により、液体容器１１の上部に設けられるノズル２３から液体容器１１内に収容される薬液Ｍを噴霧するポンプ式噴霧装置１０であって、ノズル２３内に先端が開口し、薬液Ｍを吸引する針状部材２５を有し、ノズル２３の開口孔２４の上端開口２４ａの縁部が当該縁部の周辺部よりも高い位置に形成されていることにより、霧化した薬液が上端開口２４ａの縁部に滞留せずに周辺部に流れ、上端開口２４ａの縁部における薬液の付着、結晶化を防止できる。これにより、開口孔２４の詰まりを防止できる。
【００３５】
また、針状部材２５の開口２５ａは、ノズル２３の開口孔２４の上端開口２４ａと下端開口２４ｂとの間に位置するため、小型且つ安価な装置により薬液Ｍを効率的に霧化して噴霧させることができる。
【００３６】
［第２実施形態］
図３に示すように、本実施形態は、ノズル４１の変形に関するものであり、その他の構成及び作用は上記第１実施形態と同様であってよい。
【００３７】
即ち、本実施形態におけるノズル４１は、ノズル４１に形成した開口縁部４２が上記同様に周辺部４３よりも高い位置に形成され、開口縁部４２から周辺部４３に向けて緩やかなテーパ面４４に形成されている。
【００３８】
本実施形態にあっても、凹部３１の深さは上記同様に０．５〜１ｍｍ程度であってよく、開口縁部４２と周辺部４３との高低差は０．３〜２ｍｍ程度であってよい。また、テーパ面４４の角度θ３は１０度〜８０度が好ましく、３０度程度とするのがよい。
【００３９】
本第２実施形態のポンプ式噴霧装置１０によれば、液体容器１１に接続される圧送ポンプ１２の作用により、液体容器１１の上部に設けられるノズル４１から液体容器１１内に収容される薬液Ｍを噴霧するポンプ式噴霧装置１０であって、ノズル４１内に先端が開口し、薬液Ｍを吸引する針状部材２５を有し、ノズル４１の開口孔２４の上端開口２４ａの縁部が当該縁部の周辺部よりも高い位置に形成されていることにより、霧化した薬液が上端開口２４ａの縁部に滞留せずに周辺部に流れ、上端開口２４ａの縁部における薬液の付着、結晶化を防止できる。これにより、開口孔２４の詰まりを防止できる。
更に、第１実施形態と同様の効果を奏する。
【００４０】
［実施例］
以下に、本発明のポンプ式噴霧装置（実施例）の作用効果を確認するために行った噴霧試験について説明する。
【００４１】
本試験では、図１に示すポンプ式噴霧装置１０を使用し、ノズルについては開口縁部が周辺部２３よりも高い位置に形成されていないノズル（比較例）と、第１実施形態に示したノズル２３（実施例１）及び第２実施形態に示したノズル４１（実施例２）とについて、薬液Ｍを噴霧することに伴う結晶の析出による噴霧状況について調べた。なお、ニードル管の開口位置は、ノズル孔２４の上端開口２４ａと下端開口２４ｂとの間の中央に設定した。
【００４２】
比較例のノズル形状は図４に示す通りである。なお、図４において本発明の実施形態と同じ部材には同じ符号を付して、その説明は省略する。
【００４３】
（１）処方
下記表１による処方１，２の２種の処方
【００４４】
【表１】
0005433896.tif 000002
【００４５】
（２）使用したポンプ
吐出量１２Ｌ／分
【００４６】
実施例１，２及び比較例のノズルの各部の寸法は図５〜図７に示す通りである。
【００４７】
［試験方法］
（１）比較例と、実施例１，２とを用いて上記処方３０ｍｌを霧化した。なお、各ノズル２４の内径は１．０５ｍｍに設定した。
（２）３０ｍｌを最後まで霧化した場合を１回としてカウントし、連続使用で何回まで霧化できるか確認した。このとき、連続噴霧が３回以上可能だった場合、連続噴霧を３回行った後、２時間停止し、更に連続噴霧を繰り返した。
（３）霧化しなくなった時点で試験を終了した。
【００４８】
［試験結果］
結果を表２に示す。
【００４９】
【表２】
0005433896.tif 000003
【００５０】
表２から明らかなように、比較例では処方１、処方２のいずれも３０ｍｌを霧化することができなかった（ノズルクリアランスにジノテフラン又はシクロデキストリンの結晶が見られた）。
実施例１、２は、処方１、処方２で５回以上の霧化が可能であった。
【００５１】
なお、上記試験における霧状になった薬液の平均粒子径（Ｄ５０値）は１７〜１９μｍであり、ノズル出口における気流の速度は１９６〜２０２ｍ／秒であった。
【００５２】
ここで、表２における平均粒子径（Ｄ５０値）は、図８に示す粒度分布測定装置による測定値から求め、風速は、図９に示す構成の装置で測定した。
【００５３】
［平均粒子径（Ｄ５０値）の測定］
２５℃、無風条件下において、図８に示すように、粒度分布測定装置（東日コンピュータアプリケーションズ株式会社製  ＬＤＳＡ−１４００Ａ）の受光側から３００ｍｍ、レーザー光から４０ｍｍ下にノズルの先端が位置するように、器具を設置し、薬液を霧化させた。取り込み時間は０．３秒で３回連続測定し、ロージン・ラムラー法により計算した時の平均粒子径（Ｄ５０値）を求めた。
【００５４】
［ノズル出口風量の測定］
図９に示すように、ＡＣアダプターを用いて１２Ｖを印加し、ポンプを作動させた。流量計（０〜２０Ｌ／分）をノズル先端に接続し、風量を測定した。
【００５５】
上記結果により、実施例１，２の形状、即ち第１実施形態に示したノズル２３及び第２実施形態に示したノズル４１は、霧化したジノテフラン水溶液又はシクロデキストリン水溶液がノズルクリアランス周辺部分に行き難い構造になっているため、ノズルクリアランス周辺部分での付着、結晶析出が起こり難くなり、詰まりが抑制されることが明らかになった。
【００５６】
この結果は、薬液の平均粒子径（Ｄ５０値）が１８μｍ付近（１７〜１９μｍ）と、ノズル出口における気流の速度（風速）が２００ｍ／秒付近（１９６〜２０２ｍ／秒）であることが、本発明において好ましい１つの態様であると考えられる。
【００５７】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００５８】
例えば、第１及び第２実施形態で示したテーパ面３４，４４に代えて階段状に形成してもよい。
また、上記テーパ面３４，４４の表面に放射方向に沿った溝を形成してもよい。
【００５９】
また、ノズル２３の形状は図１０〜図１２に示す形状であってもよい。なお、図１０〜図１２において、上記実施形態と同じ部材には同符号を付してその説明は省略する。図１０〜図１２のノズル２３は、上面に凹部３１が形成されておらず、ノズル孔２４の開口縁部がノズル２３の上面から突出しており、開口縁部が周辺部３３よりも高い位置に形成されている構成である。
【００６０】
図１０に示すノズル孔２４は円筒形状である。図１１に示すノズル孔２４は上端開口２４ａが下端開口２４ｂよりも大径の部分円錐形状である。図１２に示すノズル孔２４は図１１の構成を更に変形したものであり、ノズル孔２４の上端開口２３ａの周縁部が曲面に形成され、下端開口２４ｂよりも大径に形成された構成である。
【００６１】
また、液体容器内に収容される薬液は、上記実施形態における害虫防除剤に代えて、芳香剤、消臭剤等であってもよい。
【符号の説明】
【００６２】
１０  ポンプ式噴霧装置
１１  液体容器
１２  エアポンプ（圧送ポンプ）
１３  容器本体
１４  蓋体
１５  モータ部
１６  圧縮空気発生部
１７  接続チューブ
１８  ストッパ
２０  噴霧ユニット
２１  ニードルホルダ
２２  ノズルホルダ
２３，４１  ノズル
２４  ノズル孔（開口孔）
２４ａ  上端開口
２４ｂ  下端開口
２５  ニードル管（針状部材）
２５ａ  開口
２６  吸液チューブ
３１  凹部
３２，４２  開口縁部
３３，４３  周辺部
３４，４４  テーパ面
Ｍ  薬液
【図１】
0005433896.tif 000004
【図２】
0005433896.tif 000005
【図３】
0005433896.tif 000006
【図４】
0005433896.tif 000007
【図５】
0005433896.tif 000008
【図６】
0005433896.tif 000009
【図７】
0005433896.tif 000010
【図８】
0005433896.tif 000011
【図９】
0005433896.tif 000012
【図１０】
0005433896.tif 000013
【図１１】
0005433896.tif 000014
【図１２】
0005433896.tif 000015